(57)【要約】  船舶管理装置は、複数の船舶の管理を行う船舶管理装置であって、複数の船舶から通信を介して、船舶の疲労状態を示す疲労情報を取得する第１の情報取得部と、複数の船舶の疲労状態を管理する疲労情報管理部と、を備える。
2019088238.tif 000002
【特許請求の範囲】
【請求項１】
複数の船舶の管理を行う船舶管理装置であって、
複数の前記船舶から通信を介して、前記船舶の疲労状態を示す疲労情報を取得する第１の情報取得部と、
複数の前記船舶の疲労状態を管理する疲労情報管理部と、を備える、船舶管理装置。
【請求項２】
前記疲労情報管理部で管理されている複数の前記船舶の前記疲労状態に基づいて、複数の前記船舶の航路の管理を行う、航路管理部を更に備える、請求項１に記載の船舶管理装置。
【請求項３】
前記疲労情報管理部は、疲労状態に差のある第１の船舶、及び第２の船舶を特定し、
前記航路管理部は、前記第１の船舶と前記第２の船舶との間で前記航路を交換する旨の航路交換情報を生成する、請求項２に記載の船舶管理装置。
【請求項４】
前記第１の情報取得部は、前記船舶の位置に関する位置情報を更に取得し、
前記疲労情報管理部は、前記第１の情報取得部で取得された複数の前記船舶の位置情報を参照し、前記第１の船舶及び前記第２の船舶を特定する、請求項３に記載の船舶管理装置。
【請求項５】
前記第１の情報取得部は、前記船舶の進行速度に関する速度情報を更に取得し、
前記疲労情報管理部は、前記第１の情報取得部で取得された複数の前記船舶の前記速度情報と、前記疲労情報管理部で管理されている複数の前記船舶の前記疲労状態と、に基づいて、複数の前記船舶の進行速度の管理を行う、速度管理部を更に備える、請求項１〜４の何れか１項に記載の船舶管理装置。
【請求項６】
前記第１の情報取得部は、前記船舶が進行する方向に関する方向情報を更に取得し、
前記疲労情報管理部は、前記第１の情報取得部で取得された複数の前記船舶の前記方向情報と、前記疲労情報管理部で管理されている複数の前記船舶の前記疲労状態と、に基づいて、複数の前記船舶の進行方向の管理を行う、方向管理部を更に備える、請求項１〜５の何れか１項に記載の船舶管理装置。
【請求項７】
船舶の疲労状態を示す疲労情報を取得する第２の情報取得部と、
通信を介して前記第２の情報取得部で取得された情報を送信する送信部と、
自船舶、及び他の複数の船舶の疲労状態に基づいた管理情報を受信する受信部と、を備える、船舶。
【請求項８】
請求項１〜６の何れか一項に記載の船舶管理装置と、複数の船舶と、を備える船舶管理システムであって、
複数の前記船舶は、
前記船舶の疲労状態を示す疲労情報を船内にて取得する第２の情報取得部と、
通信を介して前記第２の情報取得部で取得された情報を送信する送信部と、を備え、
前記船舶管理装置の前記第１の情報取得部は、通信を介して複数の前記船舶から情報を取得する、船舶管理システム。
【請求項９】
複数の船舶の管理を行う船舶管理方法であって、
複数の前記船舶から通信を介して、前記船舶の疲労状態を示す疲労情報を取得する情報取得ステップと、
複数の前記船舶の疲労状態を管理する疲労情報管理ステップと、を備える、船舶管理方法。
【発明の詳細な説明】
【技術分野】
【０００１】
本発明は、船舶管理装置、船舶、船舶管理システム、及び船舶管理方法に関する。
【背景技術】
【０００２】
従来、船舶の船体構造の疲労状態を把握するための技術として、特許文献１に記載されたものが知られている。特許文献１では、船舶の船体に応力センサー等を設置し、このようなセンサーで検出された検出結果に基づいて船舶の疲労状態を把握している。
【先行技術文献】
【特許文献】
【０００３】
【特許文献１】特開平４−１４７０３１号公報
【発明の概要】
【発明が解決しようとする課題】
【０００４】
ここで、上述のような技術においては、把握した船体構造の疲労状態に関する情報は、自船舶の内部でのみ用いられていた。しかしながら、このような船舶の疲労状態に関する情報の利用価値を向上させることが求められていた。【０００５】
本発明は、このような課題を解決するためになされたものであり、船舶の疲労状態に関する情報の利用価値を高めることができる船舶管理装置、船舶、船舶管理システム、及び船舶管理方法を提供することを目的とする。
【課題を解決するための手段】
【０００６】
本発明に係る船舶管理装置は、複数の船舶の管理を行う船舶管理装置であって、複数の船舶から通信を介して、船舶の疲労状態を示す疲労情報を取得する第１の情報取得部と、複数の船舶の疲労状態を管理する疲労情報管理部と、を備える。【０００７】
この船舶管理装置は、複数の船舶から通信を介して、船舶の疲労状態を示す疲労情報を取得する第１の情報取得部を備える。第１の情報取得部が通信を介して情報を取得するため、広範囲にわたって存在する複数の船舶の情報を取得できる。また、複数の船舶の疲労状態を管理する疲労情報管理部は、複数の船舶のそれぞれについての疲労状態を把握する事ができる。従って、疲労情報管理部が、複数の船舶の疲労状態を総合的に考慮した上で管理を行うことができるため、船舶の疲労の進行度合いに応じて、船舶利用時の負荷を適切に振り分けることができる。例えば、過去の疲労の進行度合いが大きい船舶に対しては未来の利用時の負荷を小さくし、疲労の進行度合いが小さい船舶に対しては利用時の負荷を大きくすることができる。これにより、複数の船舶の余命を平均化することができる。以上により、船舶の疲労状態に関する情報の利用価値を高めることができる。【０００８】
船舶管理装置は、疲労情報管理部で管理されている複数の船舶の疲労状態に基づいて、複数の船舶の航路の管理を行う、航路管理部を更に備えてよい。それぞれの船舶が運航する航路は、海域によって船舶に対する負荷が異なる。従って、航路管理部が、複数の船舶の疲労状態に基づいて、複数の船舶の航路の管理を行うことで、船舶の疲労の進行度合いに応じて適切な航路を設定することができる。【０００９】
船舶管理装置において、疲労情報管理部は、疲労状態に差のある第１の船舶、及び第２の船舶を特定し、航路管理部は、第１の船舶と第２の船舶との間で航路を交換する旨の航路交換情報を生成してよい。これにより、第１の船舶及び第２の船舶のうち、負荷の大きい航路を運航することで一方の船舶の疲労の進行度合いが大きくなっている場合などに、負荷の小さい他方の船舶の航路と交換することができる。【００１０】
船舶管理装置において、第１の情報取得部は、船舶の位置に関する位置情報を更に取得し、疲労情報管理部は、情報取得部で取得された複数の船舶の位置情報を参照し、第１の船舶及び第２の船舶を特定してよい。これにより、疲労情報管理部は、複数の船舶のそれぞれについての疲労状態を把握する事ができると共に、それらの船舶がどの位置に存在するかを把握することができる。また、疲労情報管理部は、互いの位置が近く、航路の交換を行い易い船舶を、第１の船舶及び第２の船舶として特定することができる。【００１１】
船舶管理装置において、第１の情報取得部は、船舶の進行速度に関する速度情報を更に取得し、疲労情報管理部は、第１の情報取得部で取得された複数の船舶の速度情報と、疲労情報管理部で管理されている複数の船舶の疲労状態と、に基づいて、複数の船舶の進行速度の管理を行う、速度管理部を更に備えてよい。この場合、速度管理部が、第１の船舶及び第２の船舶の疲労の進行度合いに基づいて、進行速度を管理することができる。【００１２】
船舶管理装置において、第１の情報取得部は、船舶が進行する方向に関する方向情報を更に取得し、疲労情報管理部は、第１の情報取得部で取得された複数の船舶の方向情報と、疲労情報管理部で管理されている複数の船舶の疲労状態と、に基づいて、複数の船舶の進行方向の管理を行う、方向管理部を更に備えてよい。この場合、方向管理部が、第１の船舶及び第２の船舶の疲労の進行度合いに基づいて、進行方向を管理することができる。【００１３】
本発明に係る船舶は、船舶の疲労状態を示す疲労情報を取得する第２の情報取得部と、通信を介して第２の情報取得部で取得された情報を送信する送信部と、自船舶、及び他の複数の船舶の疲労状態に基づいた管理情報を受信する受信部と、を備える。【００１４】
この船舶によれば、上述の船舶管理装置と同様の作用・効果を得ることができる。【００１５】
本発明に係る船舶管理システムは、上述の船舶管理装置と、複数の船舶と、を備える船舶管理システムであって、複数の船舶は、船舶の疲労状態を示す疲労情報を船内にて取得する第２の情報取得部と、通信を介して第２の情報取得部で取得された情報を送信する送信部と、を備え、船舶管理装置の第１の情報取得部は、通信を介して複数の船舶から情報を取得する。【００１６】
この船舶管理システムによれば、上述の船舶管理装置と同様の作用・効果を得ることができる。【００１７】
本発明に係る船舶管理方法は、複数の船舶の管理を行う船舶管理方法であって、複数の船舶から通信を介して、船舶の疲労状態を示す疲労情報を取得する情報取得ステップと、複数の船舶の疲労状態を管理する疲労情報管理ステップと、を備える。【００１８】
この船舶管理方法によれば、上述の船舶管理装置と同様の作用・効果を得ることができる。
【発明の効果】
【００１９】
本発明によれば、船舶の疲労状態に関する情報の利用価値を高めることができる船舶管理装置、船舶、船舶管理システム、及び船舶管理方法を提供できる。
【図面の簡単な説明】
【００２０】
【図１】本発明の実施形態に係る船舶管理システムの構成を示すブロック図である。
【図２】本実施形態に係る船舶を示す概略図である。
【図３】サーバによって実行される処理内容のフローチャートである。
【図４】船舶制御部によって実行される処理内容のフローチャートである。
【図５】図５（ａ），（ｂ）は、船舶の疲労度の推移を示すグラフである。
【図６】船舶の航路を示したマップの一例である。
【図７】各船舶についての、各負荷レベルの移動距離を示すグラフである。
【図８】各船舶に対する負荷の大きさを示すグラフである。
【図９】変形例に係る船舶管理システムの疲労情報管理部を示すブロック図である。
【発明を実施するための形態】
【００２１】
以下、本発明の好適な実施形態について図面を参照しながら説明する。また、各図において、同一又は相当部分には同一符号を付し、重複する説明は省略する。
【００２２】
［船舶管理システムの構成］
図１は、本実施形態に係る船舶管理システムの構成を示すブロック図である。図１に示す船舶管理システム１００は、船舶制御部１０を搭載した複数の船舶４０と、サーバ２０と、ユーザ端末３０と、を備える。
【００２３】
〈船舶の構成〉
まず、図１及び図２を参照して、船舶４０の構成について説明する。図２は、本実施形態に係る船舶を示す概略図である。
【００２４】
図２に示すように、船舶４０は、貨物を積載するカーゴオイルタンク５１、船舶４０を沈下させるためや船舶４０の姿勢を調整するためのバラストタンク５２、ポンプを配置するポンプルーム５４、エンジン等を配置するエンジンルーム５５を有している。エンジンルーム５５及びポンプルーム５４は、後ろから順番に船舶４０の後端側に配置されており、ポンプルーム５４よりも前方は、略全域がカーゴオイルタンク５１及びバラストタンク５２で占められている。
【００２５】
船舶４０は、船舶４０に関する各種情報を取得するための構成要素を備えている。具体的には、船舶４０は、疲労状態取得センサー４８と、ＧＰＳ受信部４１と、メインエンジン４２と、風速計４３と、ジャイロスコープ４４と、加速度計４６と、を備えている。
【００２６】
疲労状態取得センサー４８は、船舶４０の疲労状態を示す情報を取得するセンサーである。疲労状態取得センサー４８として、例えば応力センサー、歪センサー、加速度センサー等を採用してよい。疲労状態取得センサー４８として、応力センサーを採用する場合、疲労状態取得センサー４８は、船舶４０の疲労状態が応力に反映されやすい場所に設置される。図２に示す例では、疲労状態取得センサー４８は、船舶４０の長手方向における中央付近の位置であって、バラストタンク５２の底部付近と、上側のデッキ付近に設けられる。疲労状態取得センサー４８は、取得したデータを船舶制御部１０へ送信する。
【００２７】
ＧＰＳ受信部４１は、ＧＰＳ衛星から信号を受信することにより、船舶４０の位置（例えば船舶４０の緯度及び経度）に関する位置情報を取得する。また、ＧＰＳ受信部４１は、位置情報に基づいて船舶の速度、船首方位などの情報も取得可能である。ＧＰＳ受信部４１は、取得した船舶４０の位置情報、及びその他の情報を船舶制御部１０へ送信する。
【００２８】
メインエンジン４２は、船舶４０の速度（エンジン回転速度）、出力（ｋＷ）、燃料消費率（ｇ/ｋＷ/ｈ）等を取得することができる。風速計４３は、船舶４０に対する風速、風向等を取得することができる。ジャイロスコープ４４及び加速度計４６は、船舶４０の動作状態を取得することができる。メインエンジン４２、風速計４３、ジャイロスコープ４４、及び加速度計４６は、取得した情報を船舶制御部１０へ送信する。
【００２９】
船舶制御部１０は、船舶４０の制御を行うと共に、サーバ２０との通信を行う。船舶制御部１０は、プロセッサ、メモリ、ストレージ、通信インターフェース及びユーザインターフェースを備え、一般的なコンピュータとして構成されている。プロセッサは、ＣＰＵ（Central  Processing  Unit）などの演算器である。メモリは、ＲＯＭ（Read  Only  Memory）やＲＡＭ（Random  Access  Memory）などの記憶媒体である。ストレージは、ＨＤＤ（Hard  Disk  Drive）などの記憶媒体である。通信インターフェースは、データ通信を実現する通信機器である。ユーザインターフェースは、液晶やスピーカなどの出力器、及び、キーボードやタッチパネルやマイクなどの入力器である。プロセッサは、メモリ、ストレージ、通信インターフェース及びユーザインターフェースを統括し、後述する船舶制御部の機能を実現する。船舶制御部１０では、例えば、ＲＯＭに記憶されているプログラムをＲＡＭにロードし、ＲＡＭにロードされたプログラムをＣＰＵで実行することにより各種の機能を実現する。船舶制御部１０は、複数のコンピュータから構成されていてもよい。
【００３０】
図１に示すように、船舶制御部１０は、情報取得部１１と、演算部１２と、送受信部１４と、を備える。
【００３１】
情報取得部１１は、船舶４０内の各種情報を取得する。情報取得部１１は、船舶４０の疲労状態を示す疲労情報、及び船舶４０の位置に関する位置情報を少なくとも取得する。本実施形態では、情報取得部１１は、上述の疲労状態取得センサー４８から疲労情報を取得し、ＧＰＳ受信部４１から船舶４０の位置情報を取得してよい。その他、情報取得部１１は、メインエンジン４２、風速計４３、ジャイロスコープ４４、及び加速度計４６から、船舶４０に関する各種情報を取得する。
【００３２】
ここで、疲労情報とは、船舶４０の製造時から現在に至るまでの利用の結果、船舶４０の構造疲労がどの程度進行しているかを示し、どの程度船舶４０の余命が減っているかを示す情報である。情報取得部１１は、疲労状態取得センサー４８の疲労情報をそのまま取得してもよいが、演算部１２の演算によって加工された疲労情報を取得してもよい。演算部１２の演算内容については、後述する。
【００３３】
演算部１２は、船舶制御部１０内で実行される各種演算を行う。演算部１２は、疲労状態取得センサー４８から取得した疲労情報を演算によって加工してよい。例えば、演算部１２は、疲労状態取得センサー４８からの情報に基づいて、船舶４０の余命を演算してよい。あるいは、演算部１２は、他の船舶４０との疲労の進行度合いを比較可能なように、疲労の進行度合いを数値化してもよい。例えば図５に示す「疲労度」などを定義してよい。その他、演算部は、過大応力による船体構造の損傷の有無を演算してもよい。
【００３４】
送受信部１３は、船舶制御部１０とサーバ２０との間で各種情報の送受信を行う。送受信部１３は、衛星通信を介してサーバ２０と各種情報の送受信を行う。本実施形態では、送受信部１３は、通信を介して情報取得部１１で取得された情報を送信する。また、送受信部１３は、自船舶、及び他の複数の船舶の疲労状態に基づいた管理情報を受信する。
【００３５】
サーバ２０は、上述した船舶制御部１０と同様に、プロセッサ、メモリ、ストレージ、通信インターフェース及びユーザインターフェースを備える。プロセッサは、メモリ、ストレージ、通信インターフェース及びユーザインターフェースを統括し、後述するサーバ２０の機能を実現する。サーバ２０は、複数のコンピュータから構成されていてもよい。サーバ２０は、クラウドサーバであってもよい。
【００３６】
サーバ２０は、情報取得部２１と、疲労情報管理部２２と、航路管理部２３と、送受信部２４と、記憶部２６を備える。本実施形態では、サーバ２０は、複数の船舶４０の管理を行う船舶管理装置１５０として機能する。
【００３７】
情報取得部２１は、複数の船舶４０から通信を介して、船舶４０の疲労状態を示す疲労情報、及び船舶４０の位置に関する位置情報を少なくとも取得する。情報取得部２１は、その他の情報についても、通信を介して複数の船舶４０から取得する。情報取得部２１は、船舶制御部１０の情報取得部１１が取得した各種情報を取得することができる。情報取得部２１は、各船舶４０から情報を取得したら、当該情報を記憶部２６へ送信して格納する。
【００３８】
疲労情報管理部２２は、複数の船舶４０の疲労状態を管理する。疲労情報管理部２２は、記憶部２６に格納された複数の船舶４０の疲労情報及びその他の情報を参照することで、各船舶４０の疲労状態を管理することができる。疲労情報管理部２２は、各船舶４０の疲労状態を示す管理情報を生成し、送受信部２４を介して船舶制御部１０及びユーザ端末３０へ送信してよい。なお、管理情報には、どの船舶４０がどの程度の疲労の進行度合いであるかを示した情報の他、疲労状態を考慮した船舶４０の管理に関わる情報などが全般的に含まれる。例えば、管理情報は、船舶利用時における船舶４０の構造に対する負荷に関する情報を含んでもよい。管理情報は、後述の航路管理部２３によって生成された航路の交換情報も含んでよい。
【００３９】
疲労情報管理部２２は、記憶部２６に格納された情報に基づいて、疲労状態に差のある第１の船舶４０、及び第２の船舶４０を特定する。例えば、疲労情報管理部２２は、複数の船舶４０の中から、設計値に比べて疲労の進行度合いが特に大きい船舶４０を第１の船舶４０として特定することができる。また、疲労情報管理部２２は、複数の船舶４０の中から、設計値に比べて疲労の進行度合いが特に小さい船舶４０を第２の船舶４０として特定することができる。このとき、疲労情報管理部２２は、情報取得部２１で取得されて記憶部２６に格納された複数の船舶４０の位置情報を参照し、疲労状態に差のある船舶を、第１及び第２の船舶４０として特定してよい。例えば、疲労情報管理部２２は、航路を交換可能とするために、近い位置に存在している複数の船舶４０の中から、疲労状態に差のある船舶を、第１及び第２の船舶４０として特定してよい。
【００４０】
なお、疲労情報管理部２２は、複数の船舶４０の疲労状態に関する各種演算・解析を行ってよい。例えば、疲労情報管理部２２は、船舶制御部１０の演算部１２が行う演算を代わりに行ってよい。すなわち、情報取得部２１が、船舶４０の疲労状態取得センサー４８のデータをそのまま取得した場合などに、疲労情報管理部２２は、疲労状態取得センサー４８から取得した疲労情報を演算によって加工してよい。
【００４１】
航路管理部２３は、疲労情報管理部２２で管理されている複数の船舶４０の疲労状態に基づいて、複数の船舶４０の航路の管理を行う。航路管理部２３は、船舶４０の疲労状態の進行度合いに応じて、船舶４０の将来の航路を設定することもできる。例えば、航路管理部２３は、船隊の平均よりも（或いは 設計時の疲労の想定進度よりも）疲労状態の進行度合いが大きい船舶４０に対しては、負荷の少ない航路を設定する。航路管理部２３は、船隊の平均よりも（或いは設計時の疲労の想定進度よりも）疲労状態の進行度合いが小さい船舶４０に対しては、負荷の大きい航路を設定する。航路管理部２３は、このような航路情報を管理情報として、送受信部２４を介して船舶制御部１０及びユーザ端末３０へ送信する。
【００４２】
航路管理部２３は、疲労情報管理部２２で特定された第１の船舶４０と第２の船舶４０との間で航路を交換する旨の航路交換情報を生成する。具体例として、第１の船舶４０について、疲労度合いの進行度合いが大きく、且つ、船舶４０の構造への負荷が大きい航路を繰り返し運航しており、第２の船舶４０について、疲労度合いの進行度合いが小さく、且つ、船舶４０への負荷が小さい航路を繰り返し運航している場合について考える。この場合、航路管理部２３は、第１の船舶４０と第２の船舶４０とで、航路を変更する旨の航路交換情報を生成する。航路管理部２３は、このような航路交換情報を管理情報として、送受信部２４を介して船舶制御部１０及びユーザ端末３０へ送信する。
【００４３】
送受信部２４は、船舶制御部１０とサーバ２０との間で各種情報の送受信を行う。送受信部２４は、衛星通信を介して船舶制御部１０と各種情報の送受信を行う。送受信部２４は、ユーザ端末３０とサーバ２０との間で各種情報の送受信を行う。送受信部２４は、インターネットによる有線・無線通信を介してユーザ端末３０と各種情報の送受信を行う。本実施形態では、送受信部２４は、疲労情報管理部２２で生成された管理情報や航路管理部２３で生成された航路管理情報を送信する。
【００４４】
ユーザ端末３０は、上述した船舶制御部１０と同様に、プロセッサ、メモリ、ストレージ、通信インターフェース及びユーザインターフェースを備える。プロセッサは、メモリ、ストレージ、通信インターフェース及びユーザインターフェースを統括し、後述するユーザ端末３０の機能を実現する。ユーザ端末３０は、複数のコンピュータから構成されていてもよい。
【００４５】
ユーザ端末３０は、情報取得部３１と、情報出力部３２と、情報入力部３３と、送受信部３４と、を備える。
【００４６】
情報取得部３１は、サーバ２０から通信を介して、複数の船舶４０の疲労状態に基づいた管理情報を取得する。情報取得部３１は、サーバ２０の航路管理部２３が航路交換情報を生成した場合、当該航路交換情報を取得する。情報取得部３１は、その他の情報についても、通信を介してサーバ２０から取得する。
【００４７】
情報出力部３２は、情報取得部３１で取得した情報をユーザに対して出力する。情報出力部３２は、情報をモニタなどに映し出すことで出力する。情報入力部３３は、ユーザの操作に基づいて情報を入力する。
【００４８】
送受信部３４は、サーバ２０との間で各種情報の送受信を行う。送受信部３４は、インターネットによる有線・無線通信を介してサーバ２０と各種情報の送受信を行う。
【００４９】
次に、図３を参照して、サーバ２０によって実行される処理内容について説明する。図３は、サーバ２０によって実行される処理内容のフローチャートである。
【００５０】
まず、情報取得部２１は、複数の船舶４０から通信を介して、船舶４０の疲労状態を示す疲労情報、及び船舶４０の位置に関する位置情報を少なくとも取得する情報取得ステップＳ１０を実行する。
【００５１】
疲労情報管理部２２は、複数の船舶４０の疲労状態を管理する疲労情報管理ステップ（S２０〜S３０）を実行する。まず、疲労情報管理部２２は、複数の船舶４０の疲労度の解析を行う疲労度解析ステップS２０を実行する。疲労度解析ステップS２０では、疲労情報管理部２２は、情報取得ステップS１０で取得された情報に基づいて、複数の船舶の疲労度を解析する。なお、疲労度とは、船舶４０の疲労状態の進行度合いを示すパラメータであり、計算方法や単位は任意に設定可能である。
【００５２】
疲労情報管理部２２は、疲労度解析ステップS２０で得られた疲労度に基づいて、航路交換対象となる船舶を特定する船舶特定ステップS３０である。船舶特定ステップS３０では、疲労情報管理部２２は、疲労状態に差のある第１の船舶４０、及び第２の船舶４０を特定する。疲労情報管理部２２は、情報取得ステップS１０で取得された複数の船舶４０の位置情報を参照し、第１の船舶４０及び第２の船舶４０を特定する。
【００５３】
例えば、図５（a），（ｂ）において、破線で示すグラフは設計時に設定された疲労度の推移を示し、実線で示すグラフは実際の解析結果に基づく疲労度の推移を示す。図５（a）に示す船舶４０は、設計時の設定値よりも疲労度が高くなっている。一方、図５（ｂ）に示す船舶４０は、設計時の設定値よりも疲労度が低くなっている。このような場合、疲労情報管理部２２は、例えば、図５（a）の船舶４０を第１の船舶４０として特定し、図５（ｂ）の船舶４０を第２の船舶４０として特定する。また、疲労情報管理部２２は、近い位置にある船舶４０の中から、図５（a）の船舶４０及び図５（ｂ）の船舶４０を特定する。なお、疲労情報管理部２２は、疲労度の高い第１の船舶４０として複数の船舶を特定してよく、疲労度の低い第２の船舶４０として複数の船舶を特定してよい。また、疲労情報管理部２２は、疲労度の段階に合わせて、特定する船舶４０を３以上のグループに分けてよい。
【００５４】
航路管理部２３は、船舶特定ステップS３０で特定した第１の船舶４０と第２の船舶４０との間で航路を交換する旨の航路交換情報を生成する、航路交換情報生成ステップS４０を実行する。疲労度の高い第１の船舶４０が負荷の高い航路を運航しており（または運行予定）、疲労度の低い第２の船舶４０が負荷の低い航路を運航している（または運航予定）場合、航路管理部２３は、両者の航路を交換する旨の情報を生成する。また、船舶特定ステップS３０において、疲労度の高い第１の船舶４０として複数の船舶が特定され、疲労度の低い第２の船舶４０として複数の船舶が特定された場合、航路管理部２３は、それぞれの船舶４０の航路を確認し、疲労度と航路の負荷に応じて、航路を交換する船舶４０の組み合わせを調整してよい。
【００５５】
図６〜図８を参照して、航路交換情報生成ステップS４０の処理の一例について説明する。図６に示す航路中に存在する濃淡部分は風の強さを示し、濃い部分が強く薄い部分は弱い。また、船舶特定ステップS３０では、疲労情報管理部２２は、近くの航路を運航しており、疲労度に差がある船舶４０として、航路Ａ〜Ｃを運航する船舶４０を特定する。なお、航路Ａを運航する船舶４０を船舶４０Ａとし、航路Ｂを運航する船舶４０を船舶４０Ｂとし、航路Ｃを運航する船舶４０を船舶４０Ｃとする。また、船舶４０Ｂの疲労度が最も高く、船舶４０Ｃの疲労度が中間で、船舶４０Ａの疲労度が最も低いものとする。
【００５６】
航路管理部２３は、航路Ａ〜Ｃの船舶４０に対する負荷を確認する。航路管理部２３は、図６に示すようなマップを参照する。図６のマップは、風の強さを1例として示してあるが、実際に使用するマップにはエリア毎に船舶４０に与える負荷の大きさが定められている。なお、負荷は、エリアにおいて船舶４０が遭遇する風速、波の高さ、波の向き、波の周期(波長)などによって決められる。航路管理部２３は、エリア毎の負荷と航路Ａ〜Ｃの通過エリアを比較する。これにより、図７に示すように、航路管理部２３は、航路Ａ〜Ｃについて、負荷レベルごとの移動距離を把握する。例えば、負荷レベルの大きいエリアは、移動距離が短くても、船舶４０へ与える負荷が大きく、負荷レベルの小さいエリアは、移動距離が長くても、船舶４０へ与える負荷が小さい。
【００５７】
図８に示すように、航路管理部２３は、負荷レベルと移動距離との関係に基づいて、航路Ａ〜Ｃについて、船舶４０に与える負荷の大きさを把握することができる。航路Ｂが最も負荷が大きく、航路Ｃが次に負荷が大きく、航路Ａは非常に負荷が小さい。従って、航路管理部２３は、疲労度が高く、航路Ｂの負荷も大きい船舶４０Ｂと、疲労度が低く、航路Ａの負荷も小さい船舶４０Ａとで、航路を交換する旨の情報を生成する。
【００５８】
なお、上述の例では、航路Ａ〜Ｃは、いずれも出発地及び行き先が同じであり、当該航路Ａ〜Ｃで船舶の航路を交換していた。ただし、出発地及び行き先の少なくとも一方が異なる航路の船舶間で航路の交換がなされてもよい。例えば、図６に航路Ａ〜Ｃとは出発地及び行き先が異なる航路Ｄを設定する。この航路Ｄは、負荷の高いエリアを通過しない。例えば、航路管理部２３は、船舶４０Ａ，４０Ｂ，４０Ｃの何れかの航路と、疲労度の低い航路Ｄの船舶４０Ｄとの間で航路を交換する旨の情報を生成してよい。このように、「航路を交換する」とは、航路Ａ〜Ｃのように、出発地及び行き先が同じ航路間で交換を行う場合だけでなく、出発地や行き先が異なる航路間で交換を行うなど、広く含まれるものである。
【００５９】
なお、図６〜図８を用いて説明した航路の負荷の演算方法は、過去に船舶が運航した航路の負荷を演算する際に用いてもよい。この場合、疲労情報管理部２２は、過去に運航した航路の負荷を考慮して船舶の疲労状態を判断することができる。
【００６０】
図３に戻り、送受信部２４は、航路交換情報生成ステップＳ４０で生成された航路交換情報をユーザ端末３０へ送信する送信ステップＳ５０を実行する。その後、ユーザ端末３０にて、承認者が航路交換を承認する旨の入力を情報入力部３３へ行い、送受信部３４がサーバ２０へ指令信号を送信する。これにより、送受信部２４は、ユーザ端末３０から指令信号を受信する指令信号受信ステップＳ６０を実行する。その後、送受信部２４は、船舶制御部１０へ航路交換情報を送信する航路交換情報送信ステップＳ７０を実行する。以上により、図３に示す処理が終了する。
【００６１】
次に、図４を参照して、船舶制御部１０によって実行される処理内容について説明する。図４は、船舶制御部１０によって実行される処理内容のフローチャートである。
【００６２】
まず、情報取得部１１は、船舶４０内の各種センサー等から、船舶４０の疲労状態を示す疲労情報、船舶４０の位置に関する位置情報、及びその他情報を取得する情報取得ステップＳ１００を実行する。送受信部１３は、情報取得ステップＳ１００で取得した情報をサーバ２０へ送信する情報送信ステップＳ１１０を実行する。その後、サーバ２０が航路交換情報を送信することで、送受信部１３は、航路交換情報を受信する航路交換情報受信ステップＳ１２０を実行する。以上により、図３に示す処理が終了する。
【００６３】
本実施形態に係る船舶管理装置１５０、船舶４０、船舶管理システム１００、及び船舶管理方法の作用・効果について説明する。
【００６４】
この船舶管理装置１５０は、複数の船舶４０から通信を介して、船舶４０の疲労状態を示す疲労情報を取得する情報取得部（第１の情報取得部）２１を備える。複数の船舶４０の疲労状態を管理する疲労情報管理部２２は、複数の船舶４０のそれぞれについての疲労状態を把握する事ができる。従って、疲労情報管理部２２が、複数の船舶４０の疲労状態を総合的に考慮した上で管理を行うことができるため、船舶４０の疲労の進行度合いに応じて、船舶利用時の負荷を適切に振り分けることができる。例えば、過去の疲労の進行度合いが大きい船舶４０に対しては未来の利用時の負荷を小さくし、疲労の進行度合いが少ない船舶４０に対しては利用時の負荷を大きくすることができる。これにより、複数の船舶４０の余命を平均化することができる。この場合、過度に余命が短くなる船舶４０が発生することを抑制し、複数の船舶の健全性を平均化し、管理対象の船舶群全体としての健全性を向上できる。また、配船の計画、及び修理の計画が立てやすくなり、修繕費用の発生量 及び 修繕時の不稼働時間 も平準化することができる。以上により、船舶４０の疲労状態に関する情報の利用価値を高めることができる。
【００６５】
船舶管理装置１５０は、疲労情報管理部２２で管理されている複数の船舶４０の疲労状態に基づいて、複数の船舶４０の航路の管理を行う、航路管理部２３を更に備えてよい。それぞれの船舶４０が運航する航路は、場所によって船舶に対する負荷が異なる。従って、航路管理部２３が、複数の船舶４０の疲労状態に基づいて、複数の船舶４０の航路の管理を行うことで、船舶４０の疲労の進行度合いに応じて適切な航路を設定することができる。
【００６６】
船舶管理装置１５０において、疲労情報管理部２２は、疲労状態に差のある第１の船舶４０、及び第２の船舶４０を特定し、航路管理部２３は、第１の船舶４０と第２の船舶４０との間で航路を交換する旨の航路交換情報を生成してよい。これにより、船舶４０のうち、負荷の大きい航路を運航することで一方の船舶４０の疲労の進行度合いが大きくなっている場合などに、負荷の小さい他方の船舶４０の航路と交換することができる。
【００６７】
船舶管理装置１５０において、情報取得部２１は、船舶４０の位置に関する位置情報を更に取得し、疲労情報管理部２２は、情報取得部２１で取得された複数の船舶４０の位置情報を参照し、第１の船舶４０及び第２の船舶４０を特定してよい。これにより、疲労情報管理部２２は、複数の船舶４０のそれぞれについての疲労状態を把握する事ができると共に、それらの船舶４０がどの位置に存在するかを把握することができる。また、疲労情報管理部２２は、互いの位置が近く、航路の交換を行い易い船舶４０を、第１の船舶４０及び第２の船舶４０として特定することができる。
【００６８】
本実施形態に係る船舶４０は、船舶４０の疲労状態を示す疲労情報を取得する情報取得部（第２の情報取得部）１１と、通信を介して情報取得部１１で取得された情報を送信し、且つ、自船舶、及び他の複数の船舶の疲労状態に基づいた管理情報を受信する送受信部（送信部、受信部）１３と、を備える。
【００６９】
この船舶４０によれば、上述の船舶管理装置１５０と同様の作用・効果を得ることができる。
【００７０】
本実施形態に係る船舶管理システム１００は、上述の船舶管理装置１５０と、複数の船舶４０と、を備える船舶管理システム１００であって、複数の船舶４０は、船舶４０の疲労状態を示す疲労情報を船内にて取得する情報取得部１１と、通信を介して情報取得部１１で取得された情報を送信する送受信部１３と、を備え、船舶管理装置１５０の情報取得部２１は、通信を介して複数の船舶４０から情報を取得する。
【００７１】
この船舶管理システム１００によれば、上述の船舶管理装置と同様の作用・効果を得ることができる。
【００７２】
本実施形態に係る船舶管理方法は、複数の船舶４０の管理を行う船舶管理方法であって、複数の船舶４０から通信を介して、船舶４０の疲労状態を示す疲労情報を取得する情報取得ステップと、複数の船舶４０の疲労状態を管理する疲労情報管理ステップと、を備える。
【００７３】
この船舶管理方法によれば、上述の船舶管理装置１５０と同様の作用・効果を得ることができる。
【００７４】
本発明は、上述の実施形態に限定されるものではない。
【００７５】
例えば、船舶管理システムからユーザ端末が省略されてもよい。また、上記実施形態では、サーバ２０が船舶管理装置１５０として各種演算を行っていた。これに代えて、ユーザ端末が、サーバ２０の代わりに、又はサーバ２０の処理の一部を行ってもよい。この場合、ユーザ端末も船舶管理装置に該当する。
【００７６】
なお、実施形態では情報取得部が位置情報を取得し、位置情報と複数の船舶の疲労情報に基づいて複数の船舶の航路を管理する系について説明した。但し、必ずしも情報取得部が位置情報を取得する必要はなく、複数の船舶の疲労情報を異なる情報に適用してもよい。
【００７７】
複数の船の進行速度に関する速度情報を取得し、複数の船舶の疲労情報を速度情報に対して適用することもできる。すなわち、情報取得部１１，２１は、船舶の進行速度に関する速度情報を更に取得する。また、図９に示すように、疲労情報管理部２２は、情報取得部１１，２１で取得された複数の船舶の速度情報と、疲労情報管理部２２で管理されている複数の船舶の疲労状態と、に基づいて、複数の船舶の進行速度の管理を行う、速度管理部１０１を更に備える。この場合、速度管理部１０１が、第１の船舶及び第２の船舶の疲労の進行度合いに基づいて、進行速度を管理することができる。例えば、同一の目的地に向かっている第１、第２の船舶において、第１の船舶が第２の船舶よりも疲労している場合、速度管理部１０１は、第１の船舶はなるべく疲労を抑えるために速度を遅くし、第２の船舶はその分速度を早く、あるいは速度を変えないように管理することができる。特に第１の船舶と第２の船舶に同じ荷が積まれており、且つ、第１の船舶の方が第２の船舶よりも目的地までの距離が短い場合、速度管理部１０１は、第１の船舶は疲労を抑えつつ、第１の船舶が遅くなる分第２の船舶の速度を早くして目的地になるべく早く到着させるように管理することができる。従って、このような系は、速度管理部１０１を採用することが特に有効である。
【００７８】
また、複数の船の進行方向に関する方向情報を取得し、複数の船舶の疲労情報を方向情報に対して適用することもできる。すなわち、情報取得部１１，２１は、船舶が進行する方向に関する方向情報を更に取得する。また、図９に示すように、疲労情報管理部２２は、情報取得部１１，２１で取得された複数の船舶の方向情報と、疲労情報管理部２２で管理されている複数の船舶の疲労状態と、に基づいて、複数の船舶の進行方向の管理を行う、方向管理部１０２を更に備える。この場合、方向管理部１０２が、第１の船舶及び第２の船舶の疲労の進行度合いに基づいて、進行方向を管理することができる。例えば、同一の方向に第１、第２の船舶が進行しているが、そのままの方向に進行すると波や風によって疲労の進行度合いが増すことが起こり得る。その際、第１の船舶が第２の船舶よりも疲労しているとすると、方向管理部１０２は、第１の船舶は更なる疲労を抑えるために進行方向を変更し、第２の船舶は疲労に余裕があるため進行方向を維持する、等の管理を行うことができる。
【００７９】
また、実施形態では応力センサー等の疲労状態取得センサー４８を用いて船舶の疲労情報を取得する系について説明したが、必ずしも疲労状態取得センサー４８を用いなくとも良い。例えば、船舶の揺れ（動揺）が大きいと、疲労度が大きくなる。したがって、応力センサー等を設けなくとも、所定の高さ（強さ）の波が船舶に遭遇した際の船舶の揺れの程度から疲労度をある程度推察することができる。この場合、応力センサー等を設ける必要がなくなるため、船舶のコストを抑えつつ疲労情報を取得することが可能となる。
【符号の説明】
【００８０】
１０…船舶制御部、１１…情報取得部（第２の情報取得部）、１３…送受信部（送信部、受信部）、２０…サーバ、２１…情報取得部（第１の情報取得部）、２２…疲労情報管理部、２３…航路管理部、２４…送受信部、１００…船舶管理システム、１０１…速度管理部、１０２…方向管理部、１５０…船舶管理装置。
【図１】
2019088238.tif 000003
【図２】
2019088238.tif 000004
【図３】
2019088238.tif 000005
【図４】
2019088238.tif 000006
【図５】
2019088238.tif 000007
【図６】
2019088238.tif 000008
【図７】
2019088238.tif 000009
【図８】
2019088238.tif 000010
【図９】
2019088238.tif 000011
【国際調査報告】
2019088238.tif 000012
2019088238.tif 000013
2019088238.tif 000014
2019088238.tif 000015